(57)【要約】      （修正有）【課題】建物の屋根から雨水を集めることが困難な公園や広場等に設置して、雨水を集めて貯水し、緑化散水や雑水用途、防災等に供するためのテントを使用した雨水集水装置に関するもので、集水面の清掃が容易にでき、不要時や積雪期には簡単に片付けられる、雨水集水装置を提供する。【解決手段】上面視で凹形に張る雨水集水テント１を、複数の部分品に分割し、隣り合う部分品をファスナー２５、マジックテープ、ホック、紐等でつなぎ合わせて形成することにより、テント張りと分解、収納を繰り返し行えることとした。【選択図】図１
2016205105.tif 000002
【特許請求の範囲】
【請求項１】
上面視で凹形に張ったテントの底部に集まる雨水を、該テントの底部に設けた流出部を通して該テントの下方に設けた雨水貯水槽に流入させる雨水集水装置であって、
該流出部を通る分割線で該テントを複数の部分品に分割し、該テントの隣接する部分品を繰り返してつなぎ外しが可能な連結材でつなぎ合わせて形成されていることを特徴とする雨水集水装置。
【発明の詳細な説明】
【技術分野】
【０００１】  本発明は、建物の屋根から雨水を集めることが困難な公園や広場等に設置して、雨水を集めて貯水し、緑化散水や雑水用途、防災等に供するための雨水集水装置に関するものである。
【背景技術】
【０００２】  建物の屋根に降る雨を集水するために、竪樋の一部を切断して雨水を貯水槽に分流させる器具が、雨水集水装置の主流品として供されている。【０００３】  建物の屋根から雨水を集めることができない場合には、３本の支柱にネットを急勾配で張って雨水を伝い落として集める方法が供されている。【０００４】  建物の屋根から雨水を集めることができない場合には、櫓形の梁にテントを上面視で凹形に張って雨水を集め、テントの下方の雨水貯水槽に流入させる方法が供されている。
【先行技術文献】
【実用新案文献】
【０００５】
【実用新案文献１】
実用新案登録第３１４８９６７号
【０００６】
【実用新案文献２】
実用新案登録第３０９２０２５号
【非特許文献】
【０００７】
【非特許文献１】特許公開平８−１４４５３４号
【０００８】
【非特許文献２】特許公開平９−３２３５６号
【０００９】
【非特許文献３】特許公開平１０−１８３６３号
【発明の概要】
【発明が解決しようとする課題】
【００１０】  雨水集水方法のほとんどが建物の屋根に降る雨を竪樋経由で集めることに依っているため、建物から離れた場所での雨水活用が進んでいないのが現状である。これまでの技術のうち、櫓形の梁にテントを上面視で凹形に張って雨水を集め、テントの下方の雨水貯水槽に流入させる方法は、雨水集水率は高いが、テント上面の汚れや積雪対策等が未解決である。【００１１】  そこで、本発明の目的は、建物の屋根から雨水を集めることが困難な公園や広場等に設置して、雨水を集めて貯水し、緑化散水や雑水用途、防災等に供することができることとし、雨水集水率が高い方法で、かつ、集水面の清掃が容易にできる、不要時や積雪期には簡単に片付けられる、等の課題を解決しようとするものである。
【課題を解決するための手段】
【００１２】  本発明は、上面視で凹形に張る雨水集水テントを、複数の部分品に分割し、隣り合う部分品をファスナー、マジックテープ、ホック、紐等でつなぎ合わせることにより、雨水集水用のテント張りと分解、収納が繰り返し行えることを特徴とする。
【発明の効果】
【００１３】  本発明は、雨水集水用のテント張りと分解、収納が繰り返し行えることにより、次の利点がある。すなわち、１点目に、テント上面の清掃が容易である。２点目に、不要時や積雪期には簡単に片付けることができる。あるいは、必要なときだけテントを張って雨水を集めることができる。
【図面の簡単な説明】
【００１４】
【図１】本発明の実施形態を示す雨水集水装置の外観斜視図。
【図２】図１に示す雨水集水装置を右側面から見た束３３の中心を通る縦断面図。
【図３】図１に示す雨水集水装置の図２に示す縦断面の部分拡大図。
【図４】図１に示す雨水集水装置を図２の切断面ａ−ａ’から見た横断面図。
【図５】図１に示す雨水集水装置のテントをつなぎ合わせた部分の斜視図。
【図６】図１に示す雨水集水装置のテントを分解した状態を表す、図２と同じ縦断面の部分図。
【図７】図１に示す雨水集水装置のテントを収納した状態を表す、図２と同じ縦断面の部分図。
【図８】本発明の実施形態とは別の形態の雨水集水装置の外観斜視図。
【図９】本発明の実施形態とは別の形態の雨水集水装置の外観斜視図。
【発明を実施するための形態】
【００１５】  以下、本発明の実施の形態を図１〜図７に基づいて説明する。
【００１６】  図１において、雨水集水装置１の外観を表している。
木製の櫓３の四周の梁３１の内側にテント２を張った形態の雨水集水装置１で、テント２の下に雨水流入部４０を備えた雨水貯水槽４を設けている。
逆さの四角錐台形をしたテント２は、側面と側面の稜線にある分割線２３で、４枚の台形の部分品２４に分かれ、ファスナー２５でつなぎ合わせられている。
逆さの四角錐台の下底にあたるテント２の底部の流出部２２は開いており、テント２に降る雨は流出部２２を通って、下の雨水貯水槽４の雨水流入部４０に落ちる。
テント２の上部にある櫓３の小屋組の上にはボール除けネット３５が張ってあり、ボール除けネット３５の目はテント２の流出部２２より小さいため、ボール除けネット３５をくぐり抜けたゴミ等はテント２の流出部２２もくぐり抜けて、下の雨水流入部４０に落ちる。
テント２は４本のファスナー２５を開けると４つの部分品２４に分かれて垂れ下がるので、テント２の上に付着した汚れを、櫓３に登らずに地上から容易に除去することができる。
テント２の４つに分かれた部分品２４を巻き上げておくと、テント２上への積雪を防ぐことができる。
本発明の実施の形態は、幼児・児童施設の園庭や公園等に設置すべく、上述のボール除けネット３５の工夫に加えて、手押しポンプ４９の操作でボールが回転する雨水遊び水槽５２を設けるなど、貯めた雨水を実用に資するほか、幼児・児童らに雨水利用体験を記憶させるお楽しみ要素を備えている。
本発明を設置する場所により、本発明の実施の形態のほかに、藤等の植物棚を兼ねた櫓にテントを張って雨水集水装置とする方法もある。
【００１７】  図２において、図１に示す雨水集水装置と下方に設けた雨水貯水槽の内部を表している。
テント２は、櫓３の四周の梁３１の内側にテント取付け金物２０を介して四辺を固定され、櫓３の内側の梁３２の下側中央に取り付けられたテント張り金物２１によって下方に張られている。
テント２に降る雨は、流出部２２を通って下の雨水貯水槽４の雨水流入部４０に落ち、
雨水流入部４０に備わったごみ取りネット４１で大まかなごみを濾され、砂取り冊４２で砂が沈殿ろ過され、ろ過フィルター４３で微細な浮遊ごみがろ過される。
ごみ取りネット４１、砂取り皿４２、ろ過フィルター４３を上方に持ち上げて外し、溜まったごみを取り除くことができる。
雨水流入部４０を通った雨水は、雨水貯水槽４内部の沈殿槽４４で一旦貯留され、上澄みの雨水が主貯水槽４６に貯留される。
雨水貯水槽４は、沈殿槽４４と主貯水槽４６のほかに、主貯水槽４６につなげた小型の柄杓汲み出し水槽４８（図１）を備えており、貯めた雨水の量や水質を観たり汲み出したりする際に、主貯水槽４６の開け閉めを避けて幼児・児童の事故を防ぐことに資する。
主貯水槽４６と柄杓汲み出し水槽４８（図１）の雨水は、手押しポンプ４９（図１）の操作により、蛇口５０（図１）から吐出される、あるいはコック切り替えで、雨水遊び水槽５２（図１）でボール回転やサイホン現象を見せる。
【００１８】  図３において、図１に示す雨水集水装置１のテント２の取り付け方法と雨水貯水槽４の流入部４０の詳細を表している。
テント２の部分品２４をつなぎ合わせるファスナー２５のスライダー２７にカラビナと鎖を取り付けて、ファスナーの開き止め２８を設けている。
【００１９】  図４において、図１に示す雨水集水装置１のテント２を分割してファスナー２５でつなぎ合わした状態を、テント２の下から見上げて表している。
【００２０】  図５において、図１に示す雨水集水装置１のテント２を分割してファスナー２５でつなぎ合わした部分の詳細を、櫓の四周の梁３１の内側、テント２の斜め上から表している。
テント２を４枚の台形の部分品２４に分ける分割線２３にはファスナー２５が付けられており、ファスナー２５の上には被い２６がファスナー２５の左右から重ね合わせて設けられている。このため、ファスナー２５が砂を噛むことを防ぎ、ファスナー２５が完全防水でない場合でもテント２の下に雨水が漏れることを防いでいる。
【００２１】  図６において、図１に示す雨水集水装置１のテントを２、４本のファスナー２５を開いて分解した状態を表している。
この状態において、テント２は４つの部分品２４に分かれて垂れ下がるので、テント２の上面に付着した汚れを、櫓３に登らずに地上から容易に除去することができる。
【００２２】  図７において、図１に示す雨水集水装置１のテント２を、ファスナー２５を開いて分解し、収納した状態を表している。
櫓の四周の梁３１の内側に梁一本につき２カ所ずつ、テント取付け金物２０の上方にハトメ穴のついた帯状の留め具２９（図３）が設けられ、留め具２９（図３）のテント取付け金物２０を挟んだ下方に留め具のフック２９ｂ（図３）が設けられているので、テント２を分割した部分品２４を巻き上げて収納することができる。
この際、櫓３の内側の梁３２の下側中央に取り付けられたテント張り金物２１も、メネジ２１ｂ（図３）にオネジ２１ｃ（図３）を回し込んで短く収納することができる。
【００２３】  以下、本発明の実施の形態とは別の形態を図８と図９に基づいて説明する。
【００２４】  図８において、柱３０と四周の梁３１だけの簡易な櫓３を用いて、本発明の雨水集水装置１を設置した状態を表している。
テント２を分割した逆さの台形の部分品２４は、上底を輪に縫って竿状の梁３１を通す、竿状の梁３１に上底をハトメ穴とロープで巻き付ける、あるいは梁３１の内側の横方向のスリットに上底を押し入れて戻り止めを施す、などの方法で櫓３に固定されている。
部分品２４をファスナー２５でつなぎ合わして、逆さの四角錐台形のテント２を形成し、テント２は、櫓３の下中央に固定された雨水貯水槽４に取り付けたテント張り金物２１によって引き下げ張られている。
【００２５】  図９において、図８に表したよりもさらに簡易に仮設した状態を表している。
テント２を分割した逆さの台形の部分品２４を図８と同様に櫓３に固定し、部分品２４をファスナー２５でつなぎ合わして、逆さの四角錐台形のテント２を形成している。テント２の底面に重りを載せる、あるいは重りを吊り下げて簡易にテントを張る。テント底部の流出部２２から流れ落ちる雨水を下に取り付けた受け皿とホースで雨水貯水槽４に流入させる。
この簡易な方法では大風等の度にテント２を片付ける必要があるが、本発明の雨水集水装置は設置、分解、収納が容易に行えるので、防災等に大いに役立てることができる。
【符号の説明】
【００２６】      １．    雨水集水装置
２．    テント
２０．  テント取付け金物
２１．  テント張り金物
２１ｂ．テント張り金物のメネジ
２１ｃ．テント張り金物のオネジ
２２．  テント底部の流出部
２３．  テントの分割線
２４．  テントを分割した部分品
２５．  テントのファスナー
２６．  テントのファスナーの被い
２７．  テントのファスナーのスライダー
２８．  テントのファスナーの開き止め
２９．  テント収納時の留め具
２９ｂ．テント収納時の留め具のフック
３．    櫓
３０．  櫓の柱
３１．  櫓の四周の梁
３２．  櫓の内側の梁
３３．  櫓の束
３４．  櫓の隅木
３５．  櫓のボール除けネット
３６．  案内板
４．    雨水貯水槽
４０．  雨水流入部
４１．  雨水流入部のごみ取りネット
４２．  雨水流入部の砂取り皿
４３．  雨水流入部のろ過フィルター
４４．  沈殿槽
４５．  沈殿槽のドレインコック
４６．  主貯水槽
４７．  オーバーフロー管
４８．  柄杓汲み出し水槽
４９．  手押しポンプ
５０．  蛇口
５１．  水栓パン
５２．  雨水遊び水槽
５３．  主貯水槽、柄杓汲み出し水槽、手押しポンプ、蛇口、雨水遊び水槽間の切り替えコッック類とドレインコック類
５４．  歩行面仕上げ材
５５．  コンクリート基礎
５６．  排水管
【図１】
2016205105.tif 000003
【図２】
2016205105.tif 000004
【図３】
2016205105.tif 000005
【図４】
2016205105.tif 000006
【図５】
2016205105.tif 000007
【図６】
2016205105.tif 000008
【図７】
2016205105.tif 000009
【図８】
2016205105.tif 000010
【図９】
2016205105.tif 000011